(57)【要約】  本発明は既存に使用中の扇風機の後面安全網に結合すれば風の直進性を増大させて扇風機の冷房効率を向上させることができ、特に前記結合部に形成された長孔と締結具を通じて既存に使用中の扇風機後面安全網枠の直径の影響を受けずに迅速で且つ容易に固定結合して用いることができる互換性の優れた扇風機の機能性前面安全網を開示する。
2019521280.tif 000002
【特許請求の範囲】
【請求項１】
扇風機の羽根の後面に備えられる後面安全網と結合される前面安全網において、
前記羽根の回転時に発生する風の直進性を確保して扇風機の効率を向上させることができるように前後面が開放して形成され、所定幅に形成されるリング状のガイド（１１０）と、
前記羽根を保護することができるように前記ガイドの前面に形成される複数の骨（１２０）と、
前記ガイドの後面枠から外側方向へ垂直に折曲して形成され、前記後面安全網の枠と密着して後面安全網を支持することができるように所定幅に形成され、後面安全網枠に密着する固定クリップと着脱可能に結合される締結具が貫通する長孔が形成される結合部（１３０）とを含み、
前記羽根の回転時に発生する風がガイドを通過しながら直進性が確保されて扇風機の風速を向上させることができ、
前記結合部と後面安全網が密着するように前面安全網と後面安全網を噛み合わせた後前記長孔を貫通して挿入される締結具を前記固定クリップと結束することにより既存に使用中の扇風機の後面安全網枠の直径の影響を受けずに固定結合が可能であることを特徴とする互換性の優れた扇風機の機能性前面安全網。
【請求項２】
前記固定クリップは前記締結具が挿入されることができるように締結具と対応する形状の締結具挿入溝と、前記後面安全網の枠が安着されて支持されることができるように枠と対応する形状の枠嵌込溝とが形成されることを特徴とする請求項１に記載の互換性の優れた扇風機の機能性前面安全網。
【請求項３】
前記締結具はボルトを用い、
前記固定クリップの後方でボルトの端部にナットを挿入して前面安全網と後面安全網とを結合し、
前記ナットは手で直接締結することができる用途で製作されたナットを用いることにより、使用者が締付道具がなくてもナットを堅固に締めて固定することができることを特徴とする請求項１に記載の互換性の優れた扇風機の機能性前面安全網。
【請求項４】
前記ボルトは角が形成された頭を有するボルトであり、
前記長孔は入口の幅は前記頭部の幅と対応するように形成され、出口の幅は頭部の幅より狭く形成されて、
前記前面安全網と後面安全網を噛み合わせた状態で前記長孔に前記ボルトを挿入すれば頭部が長孔の入口側内周面に密着しながら固定されてナットを固定する作業が容易になることを特徴とする請求項３に記載の互換性の優れた扇風機の機能性前面安全網。
【請求項５】
前記前面安全網の前面には前記ガイドより短い直径で形成され、骨を連結する所定幅の分割リングが骨から延長して形成されることを特徴とする請求項１に記載の互換性の優れた扇風機の機能性前面安全網。
【発明の詳細な説明】
【技術分野】
【０００１】
本発明は扇風機の前面安全網に関するもので、より詳しくは、扇風機の羽根の後面に備えられる後面安全網と結合される前面安全網において、前記羽根の回転時に発生する風の直進性を確保して扇風機の効率を向上させることができるように前後面が開放して形成され、所定幅に形成されるリング状のガイドと、前記羽根を保護することができるように前記ガイドの前面に形成される複数の骨と、前記ガイドの後面枠から外側方向へ垂直に折曲して形成され、前記後面安全網の枠と密着して後面安全網を支持することができるように所定幅に形成され、後面安全網枠に密着される固定クリップと着脱可能に結合される締結具が貫通する長孔が形成される結合部とを含み、前記羽根の回転時に発生する風がガイドを通過しながら直進性が確保されて扇風機の風速を向上させることができ、前記結合部と後面安全網が密着されるように前面安全網と後面安全網を噛み合わせた後前記長孔を貫通して挿入される締結具を前記固定クリップと結束することにより、既存に使用中の扇風機の後面安全網枠の直径の影響を受けずに固定結合が可能であることを特徴とする互換性の優れた扇風機の機能性前面安全網に関するものである。
【背景技術】
【０００２】
一般に、家庭または事務室で用いる扇風機は電気によって風を発生する機械で、暑い夏によく使われる家電製品である。
【０００３】
このような扇風機はモーターの駆動によって回転羽根が回転して後方から流入される空気を前方側に送風することにより夏に使用者に凉しい風を提供するもので、風が広く広がって遠くまで伝達されないという問題点があった。
【０００４】
このような扇風機の短所を克服するためにエアコンを用いて凉しくはあるが、高価の製品でエネルギーの効率が低くて電力の使用による費用が増加されるという問題があった。さらにエアコンと扇風機を同時に可動して室内の空気循環をより活発に誘導することによりエアコンの冷房効率は向上し、電力の使用量を減少させる成り行きである。
【０００５】
しかしながら、扇風機の風が広く広がってしまうため遠くまで風を伝達することができないので、空気の循環力が劣るという問題点があり、このような問題点を補うために最近には扇風機の代わりに風の直進性が優れたエアサーキュレーターを使ったりするが、別途にエアサーキュレーターを購買しなければならないため購買費用がさらに発生するという問題点がある。
【発明の概要】
【発明が解決しようとする課題】
【０００６】
本発明は前記のような問題点を解決するために発明されたもので、扇風機の後面安全網に迅速で且つ容易に結合することができ、風の直進性を確保して扇風機の効率を向上させることができる扇風機の前面安全網を提供することにその目的がある。
【０００７】
また、既存に使用中の扇風機の後面安全網の直径の影響を受けずに固定結合が可能に構成される扇風機の前面安全網を提供することにその目的がある。
【０００８】
また、羽根の端部から前面安全網枠の内周面の間の風が飛散されないで円滑に外部に抜け出るようにすることにより冷房効率が低下されることを防止することができる扇風機の前面安全網を提供することにその目的がある。
【課題を解決するための手段】
【０００９】
前記のような目的のために、本発明は扇風機の羽根の後面に備えられる後面安全網と結合される前面安全網において、前記羽根の回転時に発生する風の直進性を確保して扇風機の効率を向上させることができるように前後面が開放して形成され、所定幅に形成されるリング状のガイドと、前記羽根を保護することができるように前記ガイドの前面に形成される複数の骨と、前記ガイドの後面枠から外側方向へ垂直に折曲して形成され、前記後面安全網の枠と密着して後面安全網を支持することができるように所定幅に形成され、後面安全網枠に密着する固定クリップと着脱可能に結合される締結具が貫通する長孔が形成される結合部とを含み、前記羽根の回転時に発生する風がガイドを通過しながら直進性が確保されて扇風機の風速を向上させることができ、前記結合部と後面安全網が密着するように前面安全網と後面安全網を噛み合わせた後前記長孔を貫通して挿入される締結具を前記固定クリップと結束することにより既存に使用中の扇風機の後面安全網枠の直径の影響を受けずに固定結合が可能であることを特徴とする。
【００１０】
また、本発明で前記固定クリップは前記締結具が挿入されることができるように締結具と対応する形状の締結具挿入溝と、前記後面安全網の枠が安着されて支持されることができるように枠と対応する形状の枠嵌込溝が形成されることを特徴とする。
【００１１】
また、本発明で前記締結具はボルトを用い、前記固定クリップの後方でボルトの端部にナットを挿入して前面安全網と後面安全網を結合し、前記ナットは手で直接締結することができる用途で製作されたナットを用い、それにより使用者が締付道具がなくてもナットを堅固に締めて固定することができるようにしたことを特徴とする。
【００１２】
また、本発明で前記ボルトは角が形成された頭を有するボルトで、前記長孔は入口の幅は前記頭部の幅と対応するように形成され、出口の幅は頭部の幅より狭く形成されて、前記前面安全網と後面安全網を噛み合わせた状態で前記長孔に前記ボルトを挿入すれば頭部が長孔の入口側内周面に密着しながら固定されてナットを固定する作業が容易になることを特徴とする。
【００１３】
また、本発明で前記前面安全網の前面には前記ガイドより短い直径で形成され、骨を連結する所定幅の分割リングが骨から延長して形成されることを特徴とする。
【発明の効果】
【００１４】
前記のように構成された本発明は既存に使用中の扇風機の後面安全網に結合すれば風の直進性を増大して扇風機の冷房効率を向上させることができ、特に結合部に形成された長孔と締結具を通じて既存に使用中の扇風機の後面安全網枠の直径の影響を受けずに迅速で且つ容易に固定結合して用いることができて、経済性及び実用性に優れるという長所がある。
【００１５】
また、本発明は前記長孔の幅が締結具を構成する頭部の幅と対応するように形成されてナットの固定時にボルトが固定されているので容易に固定作業をすることができ、端部に取っ手が備えられるナットを通じて使用者が別途の締付道具なしに手で直接締結が可能であるので作業性を極大化することができるという長所がある。
【００１６】
また、前記分割リングを通じて羽根の端部からガイドの内周面の間の風が飛散されないで、直線形態で外部に抜け出ることにより送風距離を増加することができるという長所がある。
【図面の簡単な説明】
【００１７】
【図１】一般の扇風機の例示図である。
【図２】本発明による互換性の優れた扇風機の機能性前面安全網の例示図である。
【図３】本発明による固定クリップを説明するための例示図である。
【図４】本発明の実施例によって前面安全網と後面安全網を結合する方法を示す例示図である。
【図５】本発明の実施例によって前面安全網と後面安全網を結合する方法を示す例示図である。
【図６】本発明の実施例によって前面安全網と後面安全網を結合する方法を示す例示図である。
【図７】本発明の実施例によって前面安全網と後面安全網を結合する方法を示す例示図である。
【図８ａ】本発明による互換性を向上させた扇風機の前面安全網に形成される分割リングの例示図である。
【図８ｂ】本発明による互換性を向上させた扇風機の前面安全網に形成される分割リングの例示図である。
【発明を実施するための形態】
【００１８】
以下、添付した図面を参照しながら本発明による互換性の優れた扇風機の機能性前面安全網についてより詳しく説明する。
【００１９】
本発明を説明するにおいて、前面安全網とは扇風機の羽根の後面に備えられる後面安全網と結合されるもので、本発明は扇風機の羽根の回転時に発生した風がガイドを通過しながら直進性が向上されて風速と距離を増大させることができ、既存に使用中の扇風機の後面安全網にも設置が可能で実用性と経済性に優れ、特に、後面安全網枠の直径の影響を受けずに固定結合が可能に互換性を極大化したことを技術的特徴とする。
【００２０】
図２は本発明による前面安全網の例示図である。本発明による前面安全網１００は扇風機の後面安全網２と密着して、後述する固定クリップと締結具を介して結合されるもので、ガイド１１０、骨１２０及び結合部１３０を含む。
【００２１】
前記ガイド１１０は、前記羽根１の回転時に発生する風の直進性を確保して扇風機の効率を向上させることができるように前後面が開放して形成され、所定幅に形成されるリング体であって、扇風機の羽根の回転時に発生する風の直進性を確保して扇風機の効率を向上させることができるように一側（前方）から他側（後方）に行くほど漸次に狭くなる形態（例えば漏斗形態）に形成される。
【００２２】
前記ガイド１１０が一側から他側に行くほど漸次に狭くなる形態に形成されるのはベルヌーイの定理（Ｂｅｒｎｏｕｌｌｉ’ｓ  ｔｈｅｏｒｅｍ）を利用するためであり、それによれば、同じ量の風（流体）が流入された場合、通過する風の圧力は低くなる一方風の速力（流速）はガイドの断面積が狭くなるほど増加する。
【００２３】
前記骨１２０は前記羽根１を保護することができるように前記ガイド１１０の前面に複数形成され、前記羽根１を通じて形成される風が渦流を起こしながら外部に抜け出ることができるように螺旋状に形成される。
【００２４】
図１は従来の一般的な扇風機の例示図で、図１のように従来の扇風機の前面中央には金属または合成樹脂材質で形成される骨固定板４が備えられ、前記骨固定板４と前面安全網の角の間には扇風機の羽根１を保護し、幼児や子供たちが指を入れてけがをする事故を防止することができるように放射状方向に直線状の骨５が備えられる。
【００２５】
従来の扇風機の前面安全網に備えられる骨５は単純に扇風機の羽根１を保護し、子供たちの事故を防止し、羽根の回転時に発生する風が広く拡散しながら外部に抜け出るようにすることはできるが、風が骨にぶつかって摩擦力が発生すると風速が減少し、風量が減少するなど扇風機の効率が減少するという問題点があった。
【００２６】
本発明による螺旋形の骨１２０はこのような従来の扇風機の骨の目的である扇風機の羽根の保護と子供達の事故を防止するだけでなく羽根の回転時に発生した風が螺旋状に渦流を起こしながら外部に抜け出るようにして摩擦抵抗を減少して風速を向上させる機能を有する。
【００２７】
また、本発明は前記骨１２０を後方から前方へ行くほど漸次に厚く形成して風が排出される通路の内径が漸次に狭くなる形態になるようにして風が飛散されないで直線の形態で外部に抜け出るようにする効果を期待することができる。前記骨１２０が後方から前方に行くほど漸次に厚く形成されるのは前記ガイドと同じく風が通る時摩擦抵抗を減小し、ベルヌーイの定理（Ｂｅｒｎｏｕｌｌｉ’ｓ  ｔｈｅｏｒｅｍ）を利用するためであり、以下詳しい説明は省略する。
【００２８】
次に、前記結合部１３０は前記ガイド１１０の後面枠から外側方向へ垂直に折曲して形成される帯状で、前記後面安全網の枠３と密着して後面安全網２を支持することができるように所定幅に形成され、後面安全網枠３に密着する固定クリップ２００と着脱可能に結合される締結具３００が貫通する長孔１３１が形成される。
【００２９】
現在、家庭やお店などで用いている扇風機は製造社によって後面安全網枠３の直径に微細な差がある。従って、本発明による前面安全網１００を既存に使用中の扇風機の後面安全網２に噛み合わせる場合、後面安全網枠の直径によって後面安全網枠３の後方に嵌め込まれた固定クリップ２００の位置（高さ）が微細に違うことがある。
【００３０】
しかし、前記結合部１３０に長孔ではないボルト孔が形成される場合、ボルト孔の位置によってボルト孔を貫通したねじ部が締結具挿入溝に挿入されることができない場合がある。
【００３１】
言い換えれば、ボルト孔の位置と後面安全網枠の直径が互いに対応する場合のみ前面安全網と後面安全網の締結が可能であるので実用性が顕著に低下するという問題点がある。勿論、ボルト孔を複数配列して締結具挿入溝と対応する位置に形成されたボルト孔に締結具を挿入することもできるが、製造社ごとに後面安全網枠の直径が少しずつ相異するので正確な位置にボルト孔を形成するのに問題がある。
【００３２】
本発明は前面安全網１００と後面安全網２を噛み合わせた後締結具の位置（高さ）を考慮する必要なく長孔１３１に挿入した後固定クリップ２００とナット４００で固定すれば済むので、既存に使用中の扇風機の後面安全網枠３の直径の影響を受けずに締結作業が可能であるので互換性が顕著に優れるという長所がある。
【００３３】
本発明で、前記長孔１３１は前面安全網１００と後面安全網２の結束力をより増大させることができるように結合部に沿って所定間隔を隔てて複数形成されることができ、例えば９０゜間隔を隔てて総４つの長孔（以下、１２時、３時、６時、９時位置で表現するようにする）が形成されることができる。
【００３４】
次に、前記固定クリップ２００は前記締結具が挿入されることができるように一側に締結具と対応する形状の締結具挿入溝２１０と、前記後面安全網の枠が安着されて支持されることができるように枠と対応する形状の枠嵌込溝２２０が形成される。
【００３５】
図３は本発明の実施例による固定クリップの例示図で、前記固定クリップは前記結合部１３０の外周面に密着されることができるように所定形状（図３では四角形状に示す）に形成され、中央に前記締結具挿入溝２１０が形成される第１ボディー２１１と、前記第１ボディーの底面から「┘」字状に延長して形成されてその間に枠嵌込溝２２０を形成する第２ボディー２２１とで構成されることができる。
【００３６】
前記固定クリップ２００は締結時の破損を防止することができるように強度を有し、軽量材質で形成することが好ましく、前記第２ボディー２２１の垂直辺は後面安全網の枠が挿入された時内部で搖れないで安定的に支持されることができるように対応する長さで形成されることが好ましい。
【００３７】
本発明で前記締結具３００はボルトを用い、結束力を向上させることができるようにナットを一緒に用いる。
【００３８】
図４〜５を参照すれば、前記前面安全網１００と後面安全網２の締結時には、まず、前記結合部１３０と後面安全網２が密着するように前面安全網１００と後面安全網２を噛み合わせる。次に、後面安全網枠３が固定クリップの枠嵌込溝２２０に嵌め込まれるように固定クリップ２００を後面安全網の後方で結合する。その後、前記長孔１３１を貫通するように締結具３００（以下、ボルト）を挿入すればボルトの端部が締結具挿入溝２１０を貫通して外部に露出される。前記締結具挿入溝２１０の内周面には螺糸山が形成されてもよく、螺糸山が形成されている場合、ボルトと固定クリップの結合だけでも前面安全網と後面安全網を締結することができ、前記ボルトの端部にナットを差し込んで結束力をより向上させることもできる。
【００３９】
前記ナット４００は蝶ナット、アイナット、ギャップナット、ウィングナットまたはＴ−ナットなどのように使用者が別途の締付道具なしに指で締める動作が可能なナットを用いることができ、このような構成を通じて使用者が別途の締付道具を使わないで指だけで結束力よく締結作業をすることができる。
【００４０】
一方、前記長孔１３１にボルト３００を挿入した状態で例えば蝶ナットを締める時、前記ボルト３００は長孔の内部で固定された状態でないため蝶ナットとともに回転するという問題点が発生する虞がある。このような問題点を防止するために、本発明は、図７のように、前記ボルト３００’は頭に角が形成されたボルトを用い、前記長孔１３１’は入口の幅は前記頭部の幅と対応するように形成され、出口の幅は頭部の幅より狭く形成される。
【００４１】
前記ボルト３００’を頭に角が形成されたボルトを用い、前記長孔１３１’の入口の幅を前記頭部の幅と対応するように形成すれば、前記長孔に前記ボルトを挿入した時頭部が長孔の入口側内周面に密着しながら固定されて後方でナット４００を固定する作業を容易にすることができ、より強い力でナットを締めることができるので結束力を向上させることができるという長所がある。
【００４２】
次に、図８ａ〜８ｂを参照すれば、本発明による前記前面安全網の前面には前記ガイドより短い直径で形成され、前記骨を連結する所定幅の分割リング１４０が骨の前後方にそれぞれ延長して形成される。
【００４３】
前記前面安全網の前面に備えられる骨固定板１５０から分割リング１４０までを第１風排出口、分割リング１４０からガイド１１０までを第２風排出口と仮定した時、羽根の回転時に羽根の前方側の風は第１風排出口を通じて排出され、羽根の端部からガイドの内周面の間の風は第２風排出口を通じて排出される。
【００４４】
従来の扇風機の前面安全網は骨と骨との間が所定間隔離隔されていて、その間の空間から風が抜け出るが、羽根の前方側の風は羽根の回転力を通じて直進性が確保されて比較的円滑に直線形態で抜け出ることができる。どころが、羽根の端部から前面安全網の内周面の間の風は直進性がなくて放射状方向に飛散しながら損失が発生するという問題点があった。
【００４５】
本発明による分割リング１４０は羽根の端部からガイド１１０の内周面の間の風が飛散しないで直線形態で抜け出るようにガイドし、後方から前方へ行くほど漸次に厚く形成されて風が排出される通路の内径が漸次に狭くなる形態になるようにすることにより風速と風量を増大させるという効果を奏することができる。前記分割リング１４０が後方から前方へ行くほど漸次に厚く形成されるのは前記ガイド１１０と同じく風が通る時摩擦抵抗を減らし、ベルヌーイの定理（Ｂｅｒｎｏｕｌｌｉ’ｓ  ｔｈｅｏｒｅｍ）を利用するためであり、以下詳しい説明は省略する。
【００４６】
前記のようになる本発明による扇風機の前面安全網を既存に使用中の扇風機の後面安全網と結合する方法を説明すれば次の通りである。
【００４７】
まず、既存に使用中の扇風機の前面安全網を分離する。
【００４８】
次に、前記結合部１３０に後面安全網の枠３が密着されるように前面安全網１００と後面安全網２とを噛み合わせる。
【００４９】
次に、前記枠嵌込溝２２０に後面安全網の枠３が密着するように固定クリップ２００を嵌め込んだ後前記長孔１３１（または１３１’）と締結具挿入溝２１０を貫通するように締結具３００（または３００’）を挿入する。
【００５０】
その後、前記締結具３００（または３００’）の端部にナット４００を挿入して締め付ければ固定クリップ２００が結合部１３０と密着しながら前面安全網１００と後面安全網２とが固定結合される。
【００５１】
前述のようになる本発明は既存に使用中の扇風機の後面安全網に容易に結合して用いることができ、使用時、風の直進性を増大して扇風機の冷房効率を極大化することができ、特に前記結合部に形成された長孔と締結具を通じて既存に使用中の扇風機の後面安全網枠の直径の影響を受けずに迅速で且つ容易に固定結合して用いることができるので、経済性及び実用性に優れる長所がある。
【符号の説明】
【００５２】
１：羽根
２：後面安全網
３：後面安全網の枠
４：骨固定板
５：骨
１００：前面安全網
１１０：ガイド
１２０：骨
１３０：結合部
１３１、１３１’：長孔
１４０：分割リング
１５０：骨固定板
２００：固定クリップ
２１０：締結具挿入溝
２２０：枠嵌込溝
３００、３００’：締結具
４００：ナット
【図１】
2019521280.tif 000003
【図２】
2019521280.tif 000004
【図３】
2019521280.tif 000005
【図４】
2019521280.tif 000006
【図５】
2019521280.tif 000007
【図６】
2019521280.tif 000008
【図７】
2019521280.tif 000009
【図８ａ】
2019521280.tif 000010
【図８ｂ】
2019521280.tif 000011
【国際調査報告】
2019521280.tif 000012
2019521280.tif 000013
2019521280.tif 000014
2019521280.tif 000015